【手続補正書】
【提出日】平成24年12月10日(2012.12.10)
【手続補正１】
【補正対象書類名】特許請求の範囲
【補正対象項目名】全文
【補正方法】変更
【補正の内容】
【特許請求の範囲】
【請求項１】
通信端末へ提供されるデータ送信に対する再送信プロトコルの再送信モードを判断するための方法であって、
複数のデータ送信に関連した制御メッセージを受信するステップであって、前記制御メッセージは、複数のコードポイントのうちの一つを示すフィールドを含み、前記複数のコードポイントは、少なくとも２つのサブセットに分けられ、コードポイント群の各サブセットは、前記制御メッセージによって指示された前記複数のデータ送信に対する個別の再送信モードを指示する、ステップと、
前記制御メッセージの前記フィールド内で通知されたコードポイントに基づいて前記再送信プロトコルの前記再送信モードを判断するステップと、
を有する方法。
【請求項２】
前記制御メッセージの前記フィールド内で通知されることが可能である前記複数のコードポイントは、前記複数のデータ送信に対する再送信プロトコルに関係した情報を指示する、請求項１に記載の方法。
【請求項３】
前記制御メッセージの前記フィールド内で通知されることが可能である前記複数のコードポイントは、前記複数のデータ送信の再送信プロトコルに関係した情報とリソース割当てに関係した情報を指示する、請求項１に記載の方法。
【請求項４】
前記再送信プロトコルに関係した情報は、各々のデータ送信に対する冗長バージョンと新データ・インジケータの指示である、請求項２または請求項３に記載の方法。
【請求項５】
各コードポイントはＮ個のビット数からなり、
コードポイント群の前記複数のサブセットのそれぞれは、前記複数のデータ送信に対する冗長バージョンと新データ・インジケータのある数の組み合わせを指示し、その数は前記複数のデータ送信に対する冗長バージョンと新データ・インジケータの組み合わせのＮビットで表現可能な最大数よりも少ない、請求項４に記載の方法。
【請求項６】
各サブセットｉはＮｉ個の異なるコードポイントを表現可能であり、前記Ｎｉ個の異なるコードポイントは、前記複数のデータ送信に対する冗長バージョンと新データ・インジケータの組み合わせのうちＮｉ個の最も起こる可能性の高い組み合わせまたは重要な組み合わせである、請求項５に記載の方法。
【請求項７】
コードポイント群の前記各々のサブセットによって表現可能な、前記複数のデータ送信に対する冗長バージョンと新データ・インジケータの前記組み合わせは、空ではない共通集合をもつ、請求項５または請求項６に記載の方法。
【請求項８】
前記再送信モードは、
‐  前記複数のデータ送信のすべてに対して一つの応答が送信される、応答バンドル化モード、または
‐  前記複数のデータ送信のそれぞれに対して個別の応答が送信される、応答非バンドル化モード
のどちらか一方である、請求項１から請求項７のうちのいずれか一つに記載の方法。
【請求項９】
前記制御メッセージの前記フィールド内で通知されることが可能である前記複数のコードポイントは、前記複数のデータ送信に対する再送信プロトコルに関係した情報をさらに指示し、前記制御メッセージの前記フィールド内で通知されたコードポイントの解釈は、当該コードポイントによって指示された送信モードに依存する、請求項８に記載の方法。
【請求項１０】
前記制御メッセージの前記フィールド内の前記コードポイントが前記応答バンドル化モードを指示している場合には、前記コードポイントの個々のビットは、すべてのデータ送信に対する結合型の新データ・インジケータとすべてのデータ送信に対する結合型の冗長バージョンを指示し、
前記制御メッセージの前記フィールド内の前記コードポイントが前記応答非バンドル化モードを指示している場合には、前記コードポイントの個々のビットは、各データ送信に対する個別の新データ・インジケータと各データ送信に対する個別の冗長バージョンを指示する、請求項８または請求項９に記載の方法。
【請求項１１】
移動通信システムにおいて使用される通信端末であって、
複数のデータ送信に関連した制御メッセージを受信するための受信器であって、前記制御メッセージは、複数のコードポイントのうちの一つを示すフィールドを含み、前記複数のコードポイントは、少なくとも２つのサブセットに分けられ、コードポイント群の各サブセットは、前記制御メッセージによって指示された前記複数のデータ送信に対する個別の再送信モードを指示し、当該受信器は、再送信プロトコルを使用して前記複数のデータ送信を受信するようにさらに適合されている、受信器と、
前記制御メッセージの前記フィールド内で通知されたコードポイントに基づいて前記再送信プロトコルの前記再送信モードを判断するための処理ユニットと、
を具備する通信端末。
【請求項１２】
前記制御メッセージによって指示された前記再送信モードに従って、前記複数のデータ送信に応答するための送信器をさらに具備する、請求項１１に記載の通信端末。
【請求項１３】
前記複数のデータ送信を復号し、各データ送信が首尾よく復号され得たか否かを決定するための復号器をさらに具備し、
前記処理ユニットは、前記制御メッセージによって指示された前記再送信モードに従って、前記複数のデータ送信の受信成功または受信不成功を応答するためのフィードバックを生成するように適合される、請求項１２に記載の通信端末。
【請求項１４】
前記制御メッセージと前記複数のデータ送信は、前記物理チャネル・リソースの単一サブフレーム中に多重化される、請求項１１から請求項１３のいずれか一つに記載の通信端末。
【請求項１５】
前記再送信モードは、
‐  前記複数のデータ送信のすべてに対して一つの応答が送信される、応答バンドル化モード、または
‐  前記複数のデータ送信のそれぞれに対して個別の応答が送信される、応答非バンドル化モード
のどちらか一方である、請求項１１から請求項１４のうちのいずれか一つに記載の通信端末。
【請求項１６】
前記処理ユニットは、前記制御メッセージ中に指示された前記再送信モードが前記応答バンドル化モードである場合には、すべてのデータ送信に対して単一の結合型応答を生成するように適合され、
前記処理ユニットは、前記制御メッセージ中に指示された前記再送信モードが前記応答非バンドル化モードである場合には、各それぞれのデータ送信に対して個々の応答を生成するように適合される、請求項１５に記載の通信端末。
【請求項１７】
前記処理ユニットは、
‐  前記制御メッセージの前記フィールド内のコードポイントが前記応答バンドル化モードを示している場合には、前記制御メッセージの前記フィールド内で通知されたコードポイントから、すべてのデータ送信に対する結合型の新データ・インジケータとすべての送信に対する結合型の冗長バージョンを取得し、
‐  前記制御メッセージの前記フィールド内のコードポイントが前記応答非バンドル化モードを示している場合には、前記制御メッセージの前記フィールド内で通知されたコードポイントから、各データ送信に対する個別の新データ・インジケータと各データ送信に対する個別の冗長バージョンを取得する
ように適合される、請求項１５または請求項１６に記載の通信端末。
【請求項１８】
前記処理ユニットは、関連したＨＡＲＱプロセスのソフト・バッファのフラッシュを制御するために、当該通信端末のＨＡＲＱプロトコル・エンティティへ前記複数のデータ送信の各個の新データ・インジケータまたは結合型の新データ・インジケータを供給するように、及びレート・マッチングのために前記復号器へ前記複数のデータ送信の各個の冗長バージョンまたは結合型の冗長バージョンを供給するように適合される、請求項１７に記載の通信端末。
【請求項１９】
移動通信システムにおいて使用される基地局であって、
制御メッセージを生成するための処理ユニットであって、前記制御メッセージは、複数のコードポイントのうちの一つを示すフィールドを含み、前記複数のコードポイントは、少なくとも２つのサブセットに分けられ、コードポイント群の各サブセットは、前記制御メッセージによって指示された複数のデータ送信に対する個別の再送信モードを指示する、処理ユニットと、
通信端末へ、再送信プロトコルを使用して前記制御メッセージを送信し、かつ前記複数のデータ送信を送信するための送信器と、
を具備する基地局。
【請求項２０】
前記制御メッセージ中に指示された前記再送信モードに従った前記通信端末からの前記複数のデータ送信の応答を受信するための受信器をさらに具備する、請求項１９に記載の基地局。
【請求項２１】
前記基地局から送信される複数のデータ送信のそれぞれの前記再送信モードを決定するための処理ユニットをさらに具備する、請求項１９または請求項２０に記載の基地局。
【請求項２２】
前記再送信モードは、
‐  前記複数のデータ送信のすべてに対して一つの応答が送信される、応答バンドル化モード、または
‐  前記複数のデータ送信のそれぞれに対して個別の応答が送信される、応答非バンドル化モード
のどちらか一方であり、
前記送信器は、
前記再送信モードが前記応答バンドル化モードである場合、そして前記一つの応答が前記複数のデータ送信の復号不成功を示している場合には、すべてのデータ送信の再送信を送信し、
前記制御メッセージ中に指示された前記再送信モードが前記応答非バンドル化モードである場合には、前記通信端末からの対応する応答が復号不成功を示すデータ送信に対して個別の再送信を送信する
ように適合される、請求項１９から請求項２１のうちのいずれか一つに記載の基地局。